(57)【要約】【課題】キャップの軸方向寸法を小さくすることができるキャップを提供することを目的とする。【解決手段】容器本体２の口部２０に取り付けられる中蓋３と、中蓋３に螺着された上蓋４と、が備えられ、上蓋４を中蓋３に対して相対的にキャップ軸周りに回転させながらキャップ軸方向に移動させることで上蓋４に設けられた注出口４０ａを開閉させるキャップ１において、中蓋３及び上蓋４にそれぞれ設けられて互いに螺着された一対のネジ筒部５と、中蓋３及び上蓋４にそれぞれ設けられて一方が他方の内側に配置された一対の回転規制筒部６と、を有し、一対の回転規制筒部６のうち、いずれか一方に設けられた係止部３１ａを他方に設けられた係止部４１ａに係止させることによって上蓋４の中蓋３に対する回転範囲を規制する構成とされ、一対のネジ筒部５および一対の回転規制筒部６のいずれか一方の内側に他方が配置されている。【選択図】図１
2008189319.tif 000002
【特許請求の範囲】
【請求項１】
容器本体の口部に取り付けられる中蓋と、該中蓋に螺着された上蓋と、が備えられ、該上蓋を前記中蓋に対して相対的にキャップ軸周りに回転させながらキャップ軸方向に移動させることで前記上蓋に設けられた注出口を開閉させるキャップにおいて、
前記中蓋及び前記上蓋にそれぞれ設けられて互いに螺着された一対のネジ筒部と、
前記中蓋及び前記上蓋にそれぞれ設けられて一方が他方の内側に配置された一対の回転規制筒部と、
を有し、
該一対の回転規制筒部のうち、いずれか一方に設けられた係止部を他方に設けられた係止部に係止させることによって前記上蓋の前記中蓋に対する回転範囲を規制する構成とされ、
前記一対のネジ筒部および前記一対の回転規制筒部のいずれか一方の内側に他方が配置されていることを特徴とするキャップ。
【発明の詳細な説明】
【技術分野】
【０００１】
本発明は、キャップに関する。
【背景技術】
【０００２】
従来、内容物を収容した容器本体の口部に装着されるキャップとして、容器口部に取り付けられる中蓋とこの中蓋に装着された上蓋とからなる構成が知られている。上蓋には、内容物が注出される注出口が形成されており、中蓋に設けられた栓が注出口に挿嵌されて注出口が閉じられる。上記した構成のキャップには、中蓋に装着された上蓋を中蓋に対してキャップ軸周りに相対的に回転させることで上蓋を中蓋に対してキャップ軸方向に移動させる螺旋ガイド部が設けられている。この螺旋ガイド部により上蓋を回転させながら上昇させることによって、栓が注出口の中から抜け出て、注出口が開けられる。
【０００３】
また、上記した構成のキャップには、上蓋の中蓋に対するキャップ軸周りの回転を規制することで上蓋のキャップ軸方向の移動範囲を規制する回転規制部が設けられている。この回転規制部は、上蓋に設けられた係止部と、中蓋に設けられた係止溝とからなる。この回転規制部によると、上蓋をキャップ軸周りに所定量回転させると、上蓋の係止部が中蓋の係止溝に係止される。これにより、上蓋がそれ以上回転できなくなり、上蓋のキャップ軸方向の移動が止められる（例えば、特許文献１参照。）。
【特許文献１】米国特許第４４２４９１８号明細書
【発明の開示】
【発明が解決しようとする課題】
【０００４】
しかしながら、上記した従来のキャップでは、上蓋をキャップ軸方向に移動させる螺旋ガイド部と、上蓋のキャップ軸周りの回転を規制する回転規制部とが、キャップ軸方向に並べて配設されているため、キャップの軸方向寸法が大きくなるという問題がある。キャップの軸方向寸法が大きいと、デザイン上の制約が大きくなる。また、キャップの軸方向寸法が大きいと、当該キャップが取り付けられた容器を店頭に陳列する際に、陳列場所に制約が課されることもある。
【０００５】
本発明は、上記した従来の問題が考慮されたものであり、キャップの軸方向寸法を小さくすることができるキャップを提供することを目的としている。
【課題を解決するための手段】
【０００６】
本発明に係るキャップは、容器本体の口部に取り付けられる中蓋と、該中蓋に螺着された上蓋と、が備えられ、該上蓋を前記中蓋に対して相対的にキャップ軸周りに回転させながらキャップ軸方向に移動させることで前記上蓋に設けられた注出口を開閉させるキャップにおいて、前記中蓋及び前記上蓋にそれぞれ設けられて互いに螺着された一対のネジ筒部と、前記中蓋及び前記上蓋にそれぞれ設けられて一方が他方の内側に配置された一対の回転規制筒部と、を有し、該一対の回転規制筒部のうち、いずれか一方に設けられた係止部を他方に設けられた係止部に係止させることによって前記上蓋の前記中蓋に対する回転範囲を規制する構成とされ、前記一対のネジ筒部および前記一対の回転規制筒部のいずれか一方の内側に他方が配置されていることを特徴としている。
【０００７】
このような特徴により、上蓋を中蓋に対して相対的にキャップ軸周りに回転させると、一対のネジ筒部によって上蓋は回転しながらキャップ軸方向に移動する。これにより、上蓋に設けられた注出口が開閉される。このとき、上蓋をキャップ軸周りに所定量回転させると、上蓋の回転規制筒部に設けられた係止部が中蓋の回転規制筒部に設けられた係止部に係止され、上蓋がそれ以上回転できなくなる。これにより、上蓋の中蓋に対する回転可能な範囲が決められ、上蓋の中蓋に対するキャップ軸方向の移動範囲が画定される。また、一対のネジ筒部の内側に一対の回転規制筒部が配置され、或いは、一対の回転規制筒部の内側に一対のネジ筒部が配置されており、一対のネジ筒部と一対の回転規制筒部とがキャップ径方向に並べて配置されている。
【発明の効果】
【０００８】
本発明に係るキャップによれば、一対のネジ筒部と一対の回転規制筒部とがキャップ径方向に並べて配置されているため、キャップの軸方向寸法を小さくすることが可能となる。これにより、デザイン上の制約が低減され、デザインの自由度を広げることができる。また、キャップの軸方向寸法を小さくすることで、当該キャップが取り付けられた容器の高さが低くなり、高さが低い陳列棚にも陳列させることができる。
【発明を実施するための最良の形態】
【０００９】
以下、本発明に係るキャップの実施の形態について、図面に基いて説明する。
【００１０】
まず、本発明の実施の形態であるキャップ１について説明する。図１は閉じた状態のキャップ１の断面図であり、図２は開いた状態のキャップ１の断面図であり、図３は図１のＡ−Ａ間の断面図である。
【００１１】
図１〜図３に示すように、キャップ１は、例えば液状の内容物を収容する容器本体２に装着されるキャップであり、容器本体２の円筒形状の口部２０に取り付けられた中蓋３と、中蓋３に螺着された上蓋４と、から構成されている。
【００１２】
上蓋４は、中央に注出口４０ａが形成された天板部４０と、天板部４０の外周縁からキャップ開放端側に垂設された円筒形状の外筒部４１（回転規制筒部）と、外筒部４１の内側に配設されて天板部４０の裏面から垂設された円筒形状の内筒部４２（ネジ筒部）と、内筒部４２の内側に配設されて天板部４０の裏面から垂設された円筒形状のノズル保持部４３とから構成されている。なお、上記した「キャップ開放端側」とは、キャップ１からみて容器本体２がある方向を意味しており、図１における下方向のことをいう。
【００１３】
上記した外筒部４１、内筒部４２及びノズル保持部４３は、キャップ軸Ｏと同軸に配置されている。
天板部４０は、キャップ軸Ｏ方向の上方に向かって緩やかに傾斜したテーパー形状となっており、その先端部分に注出口４０ａが形成されている。
【００１４】
上蓋４の外筒部４１の内周面には、キャップ軸Ｏ方向に沿って延在する係止部４１ａが突設されている。この係止部４１ａは、外筒部４１の周方向に複数（２つ）設けられており、これらの係止部４１ａ、４１ａは、外筒部４１の内周面においてキャップ軸Ｏを径方向に挟んだ互いに対向する位置に配設されている。
一方、上蓋４の内筒部４２の内周面には、雌ネジ部４２ａが形成されている。
【００１５】
中蓋３は、容器本体２の円筒形状の口部２０に螺着されるベースキャップ３０と、ベースキャップ３０の天板部３０ａの表面に突設された円筒形状の外筒部３１（回転規制筒部）と、外筒部３１の内側に配設されて天板部３０ａの表面に突設された円筒形状の内筒部３２（ネジ筒部）と、内筒部３２の先端開口面に突設された円筒形状のノズル部３３と、ノズル部３３の先端開口面に突設された円柱形状の栓部３４とから構成されている。
【００１６】
上記したベースキャップ３０、外筒部３１、内筒部３２、ノズル部３３及び栓部３４は、キャップ軸Ｏと同軸に配置されている。また、ベースキャップ３０の天板部３０ａの中央には貫通穴３０ｂがあけられており、この貫通穴３０ｂを介してベースキャップ３０の内側と内筒部３２の内側とが連通されている。また、内筒部３２及びノズル部３３の各内側も連通している。
【００１７】
ノズル部３３は、その外径が上蓋４のノズル保持部４３の内径とほぼ等しくなっており、ノズル保持部４３の内側に摺動可能に挿嵌されて保持されている。
栓部３４は、図示せぬ支持脚を介してノズル部３３の先端開口面に突設されている。この栓部３４は、その外径が上蓋４の注出口４０ａの内径とほぼ等しくなっており、注出口４０ａの内側に挿脱可能となっている。図１に示すように、注出口４０ａの中に栓部３４が挿入された状態では、注出口４０ａが栓部３４によって塞がれて閉じられるため、容器本体２の中の内容物は注出口４０ａから注出されなくなる。一方、図２に示すように、注出口４０ａから栓部３４が抜けた状態では、注出口４０ａが開けられているため、容器本体２の中の内容物は注出口４０ａから注出される。
【００１８】
中蓋３の内筒部３２は、上蓋４の内筒部４２の内側に配置されている。また、中蓋３の内筒部３２の外周面には、上記した上蓋４の内筒部４２に形成された雌ネジ部４２ａに螺合される雄ネジ部３２ａが形成されている。この雄ネジ部３２ａと上蓋４の雌ネジ部４２ａとを螺合させることで、中蓋３に上蓋４が螺着されている。
【００１９】
上記したように中蓋３の内筒部３２と上蓋４の内筒部４２とが互いに螺着されることによって、一対のネジ筒部５が構成されている。この一対のネジ筒部５により、上蓋４を中蓋３に対して相対的にキャップ軸Ｏ周りに回転させると、上蓋４はキャップ軸Ｏ周りに回転しながらキャップ軸Ｏ方向に移動する。例えば、キャップ１が、図１に示すように注出口４０ａの中に栓部３４が挿入された閉状態になっている場合、上蓋４を中蓋３に対して相対的にキャップ軸Ｏ周りに回転させて係止部４１ａを図３に示す閉位置Ｘから開位置Ｙまで移動させると、上蓋４は、一対のネジ筒部５により回転しながらキャップ軸Ｏ方向の上方に移動し、図２に示すように、注出口４０ａから栓部３４が抜けた開状態になる。また、キャップ１が、図２に示すように開状態になっている場合、上蓋４を中蓋３に対して相対的にキャップ軸Ｏ周りに回転させて係止部４１ａを図３に示す開位置Ｙから閉位置Ｘまで移動させると、上蓋４は、一対のネジ筒部５により回転しながらキャップ軸方向の下方に移動し、図１に示すように、注出口４０ａの中に栓部３４が挿入された閉状態になる。
【００２０】
中蓋３の外筒部３１の内径は上蓋４の内筒部４２の外径よりも大きく、また、外筒部３１の外径は上記した上蓋４の外筒部４１の内径よりも小さくなっており、中蓋３の外筒部３１は、上蓋４の外筒部４１と内筒部４２との間の隙間に配置されている。
中蓋３の外筒部３１の外周面には、上蓋４の係止部４１ａに係止される第一、第二係止部３１ａ、３１ｂが周方向に間隔を置いて設けられている。第一係止部３１ａは、上蓋４の係止部４１ａを閉位置Ｘで係止する位置に配設されている。第二係止部３１ｂは、上蓋４の係止部４１ａを開位置Ｙで係止する位置に配設されている。
【００２１】
上記したように第一、第二係止部３１ａ、３１ｂが付設された中蓋３の外筒部３１が係止部４１ａが付設された上蓋４の外筒部４１の内側に配置されることによって、一対の回転規制筒部６が構成されている。この一対の回転規制筒部６によると、上蓋４をキャップ軸Ｏ周りに所定量回転させると、上蓋４の係止部４１ａが中蓋３の第一、第二係止部３１ａ、３１ｂに係止され、上蓋４がそれ以上回転できなくなる。例えば、図１に示すように上蓋４が閉状態になると、上蓋４の係止部４１ａが中蓋３の第一係止部３１ａに当接され、上蓋４の回転が規制される。一方、図２に示すように上蓋４が開状態になると、上蓋４の係止部４１ａが中蓋３の第二係止部３１ｂに当接され、上蓋４の回転が規制される。これにより、上蓋４は、所定の回転距離Ｒの範囲内で回転可能となり、上蓋４の中蓋３に対するキャップ軸Ｏ周りの回転可能な範囲が決められ、上蓋４の中蓋３に対するキャップ軸Ｏ方向の移動範囲が設定される。
【００２２】
また、図３に示すように、中蓋３の外筒部３１の外周面には、上蓋４を回転させてその係止部４１ａを中蓋３の第一、第二係止部３１ａ、３１ｂに一旦当接した後はこの上蓋４に一定以上の力を加えない限り、上蓋４が反対方向に回転できないようにする微小な突起３１ｃが設けられている。この突起３１ｃは、上蓋４の回転距離Ｒの範囲内の各第一、第二係止部３１ａ、３１ｂの近傍にそれぞれ配設されている。これにより、中蓋３の第一又は第二係止部３１ａ、３１ｂに当接した上蓋４の係止部４１ａは、第一又は第二係止部３１ａ、３１ｂと突起３１ｃとの間に挟まれた状態となり、上蓋４が不用意に前記反対方向に回転するのを防止することができる。また、上蓋４の係止部４１ａが突起３１ｃを通過する際に、音が鳴ったり感触が伝わったりするので、上蓋４の係止部４１ａが閉位置Ｘや開位置Ｙまで移動したことが、音や感触で分かる。
【００２３】
上記した構成からなるキャップ１によれば、一対の回転規制筒部６の内側に一対のネジ筒部５が配置された構成になっており、一対のネジ筒部５の雌ネジ部４２ａ及び雄ネジ部３２ａと、一対の回転規制筒部６の第一、第二係止部３１ａ、３１ｂ及び係止部４１ａとがキャップ径方向に並べて配置されているため、キャップ１の軸方向寸法を小さくすることが可能である。これにより、キャップ１のデザイン上の制約が低減され、デザインの自由度を広げることができる。また、キャップ１の軸方向寸法を小さくすることで、当該キャップ１が取り付けられた容器の高さが低くなり、高さが低い陳列棚にも陳列させることができる。
【００２４】
以上、本発明に係るキャップの実施の形態について説明したが、本発明は上記した実施の形態に限定されるものではなく、その趣旨を逸脱しない範囲で適宜変更可能である。
例えば、上記した実施の形態では、一対の回転規制筒部６の内側に一対のネジ筒部５が配置されているが、本発明は、図４〜図６に示すように、一対のネジ筒部１０５の内側に一対の回転規制筒部１０６が配置された構成であってもよい。具体的に説明すると、図４〜図６に示すように、上蓋４の外筒部１４１の内周面に雌ネジ部１４１ａを形成するとともに、中蓋３の外筒部１３１の外周面に雄ネジ部１３１ａを形成する。そして、上蓋４の外筒部１４１と中蓋３の外筒部１３１とを互いに螺着させ、一対のネジ筒部１０５とする。また、上蓋４の内筒部１４２の内周面に係止部１４２ａを形成するとともに、中蓋３の内筒部１３２の外周面に係止部１３２ａ、１３２ｂを形成する。そして、上蓋４の内筒部１４２の内側に中蓋３の内筒部１３２を配置させ、一対の回転規制筒部１０６とする。
【００２５】
また、図１〜図３に示した実施の形態では、上蓋４の外筒部４１（回転規制筒部）の内側に中蓋３の外筒部３１（回転規制筒部）が配置されているが、本発明は、上蓋４の外筒部４１が中蓋３の外筒部３１の内側に配置されていてもよい。この場合、上蓋４の外筒部４１の外周面に係止部４１ａが設けられ、中蓋３の外筒部３１の内周面に係止部３１ａ、３１ｂが設けられる。なお、上記した図４〜図６に示す実施の形態においても同様であり、上蓋４の外筒部１４１（ネジ筒部）が中蓋３の外筒部１３１（ネジ筒部）の内側に配置されていてもよい。
【００２６】
また、図１〜図３に示した実施の形態では、中蓋３に設けられた栓部３４が上蓋４の注出口４０ａの中に挿入されることで注出口４０ａが閉じられる構成となっているが、本発明は、栓部３４に代えて、天板部４０の裏面側における注出口４０ａの開口面に当接させる蓋体を設け、この蓋体によって注出口４０ａを閉じる構成とすることも可能である。
【００２７】
また、上記した実施の形態では、係止部４１ａが２つ設けられているが、本発明は、係止部４１ａが１つ或いは３つ以上であってもよい。
また、上記した実施の形態では、中蓋３の外筒部３１（回転規制筒部）に、閉位置Ｘで係止部４１ａに係止される第一係止部３１ａと、開位置Ｙで係止部４１ａに係止される第二係止部３１ｂとがそれぞれ設けられているが、本発明は、中蓋３の係止部を１つにすることも可能である。具体的に説明すると、中蓋３の係止部の一方の側面を閉位置とし、他方の側面を開位置とし、この中蓋３の係止部の一方の側面から他方の側面に亘って上蓋４の係止部４１ａを中蓋３の外筒部３１に沿って移動させる構成としてもよい。
【００２８】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００２９】
【図１】本発明の実施の形態を説明するための閉状態のキャップの断面図である。
【図２】本発明の実施の形態を説明するための開状態のキャップの断面図である。
【図３】図１に示すＡ−Ａ間の断面図である。
【図４】本発明の他の実施の形態を説明するための閉状態のキャップの断面図である。
【図５】本発明の他の実施の形態を説明するための開状態のキャップの断面図である。
【図６】図４に示すＢ−Ｂ間の断面図である。
【符号の説明】
【００３０】
１  キャップ
２  容器本体
３  中蓋
４  上蓋
５  一対のネジ筒部
６  一対の回転規制筒部
２０  口部
３１  外筒部（回転規制筒部）
３１ａ  第一係止部（係止部）
３１ｂ  第二係止部（係止部）
３２  内筒部（ネジ筒部）
４０ａ  注出口
４１  外筒部（回転規制筒部）
４１ａ  係止部
４２  内筒部（ネジ筒部）
１０５  一対のネジ筒部
１０６  一対の回転規制筒部
１３１  外筒部（ネジ筒部）
１３２  内筒部（回転規制筒部）
１４１  外筒部（ネジ筒部）
１４２  内筒部（回転規制筒部
【図１】
2008189319.tif 000003
【図２】
2008189319.tif 000004
【図３】
2008189319.tif 000005
【図４】
2008189319.tif 000006
【図５】
2008189319.tif 000007
【図６】
2008189319.tif 000008